(57)【要約】【課題】防水床の内部に浸透した水を効率よく排水する。【解決手段】防水床の集水システム１０は、床スラブ４０の上に、下層側から少なくとも防水材４４、緩衝材４８及び押えコンクリート５４が積層された積層構造４２を備え、積層構造４２の上を流れる水や積層構造４２の内部に浸透した水を排水するための排水設備７０が、積層構造４２を貫通して少なくとも１つ設置された防水床３０を対象としている。具体的には、排水設備７０毎に設けられ、防水床３０の積層構造４２内の、防水材４４よりも上層に浸透した水を、排水設備７０の外周部７０ａに設けられた水抜き穴８０へと誘導するための集水構造１２を含んでいる。これにより、防水床３０の積層構造４２内に浸透した水を、集水構造１２を介して、排水設備７０の水抜き穴８０へと誘導することができるため、水抜き穴８０を通して排水設備７０から効率よく排水することができる。【選択図】図１
2020070626.tif 000002
【特許請求の範囲】
【請求項１】
下層側から少なくとも防水材、緩衝材及び押えコンクリートが積層された積層構造を備え、該積層構造の上を流れる水、及び／又は、前記積層構造の内部に浸透した水を排水するための概略筒状の排水設備が、前記積層構造を貫通して少なくとも１つ設置された防水床の集水システムであって、
前記少なくとも１つの排水設備毎に設けられ、前記防水材よりも上層の前記積層構造内に浸透した水を、前記少なくとも１つの排水設備の外周部に設けられた水抜き穴へと誘導するための、集水構造を含むことを特徴とする防水床の集水システム。
【請求項２】
前記集水構造は、前記防水材の直上に配置された複数の通水管と、前記少なくとも１つの排水設備の外周部に沿って、前記水抜き穴と連通するように設けられた通水空間と、を含み、
前記複数の通水管は、平面視で、各々の一端を前記少なくとも１つの排水設備へ向ける態様で、該排水設備の周囲に互いに間隔を空けて放射状に配置され、
前記通水空間は、少なくとも、前記少なくとも１つの排水設備の外周部と、前記防水材の、前記少なくとも１つの排水設備周りの縁との間の空間、及び、前記少なくとも１つの排水設備の外周部と、前記複数の通水管の各々の前記一端との間の空間を含むように設けられていることを特徴とする請求項１記載の防水床の集水システム。
【請求項３】
前記積層構造が、前記防水材と前記緩衝材との間に積層された保護コンクリートを含み、
前記通水空間は、前記少なくとも１つの排水設備の外周部と、前記保護コンクリートの、前記少なくとも１つの排水設備周りの縁との間に設けられた空間を含み、
前記集水構造は、前記防水材の直上において、前記複数の通水管の各々の他端と近接して、該複数の通水管の周囲を囲うように環状に延在し、前記保護コンクリートを、前記排水設備及び前記複数の通水管が配置される内側と外側とに区切る区切り部材を含み、
該区切り部材の、少なくとも、前記複数の通水管の各々の前記他端と近接する部位が除去されていることで、前記複数の通水管の各々の、前記他端の開口部に連通する導入空間が設けられていることを特徴とする請求項２記載の防水床の集水システム。
【請求項４】
前記積層構造は、前記緩衝材として、下層側から断熱材と嵩上げ材とを含み、
前記通水空間は、前記少なくとも１つの排水設備の外周部と、前記断熱材の、前記少なくとも１つの排水設備周りの縁との間に設けられた空間を含むことを特徴とする請求項３記載の防水床の集水システム。
【請求項５】
請求項１から４のいずれか１項記載の防水床の集水システムと、前記積層構造と、前記少なくとも１つの排水設備とを含み、
該少なくとも１つの排水設備として、主に前記積層構造の上を流れる水を排水するために設置された、少なくとも１つの排水桝を含むことを特徴とする防水床。
【請求項６】
前記少なくとも１つの排水設備として、更に、主に前記積層構造の内部に浸透した水を排水するために設置された、少なくとも１つの排水ドレンを含むことを特徴とする請求項５記載の防水床。
【請求項７】
下層側から少なくとも防水材、緩衝材及び押えコンクリートが積層された積層構造を備え、該積層構造の上を流れる水、及び／又は、前記積層構造の内部に浸透した水を排水するための概略筒状の排水設備が、前記積層構造を貫通して少なくとも１つ設置された防水床での集水方法であって、
前記少なくとも１つの排水設備毎に、前記防水材よりも上層の前記積層構造内に浸透した水を、前記少なくとも１つの排水設備の外周部に設けられた水抜き穴へと誘導するための、集水構造を設けることを特徴とする防水床での集水方法。
【請求項８】
前記集水構造の一部として、前記防水材の直上に複数の通水管を配置すると共に、前記少なくとも１つの排水設備の外周部に沿って、前記水抜き穴と連通するように通水空間を設け、
前記複数の通水管を配置する際に、平面視で、前記複数の通水管の各々の一端を前記少なくとも１つの排水設備へ向ける態様で、該排水設備の周囲に互いに間隔を空けて放射状に配置し、
前記通水空間を設ける際に、少なくとも、前記少なくとも１つの排水設備の外周部と、前記防水材の、前記少なくとも１つの排水設備周りの縁との間の空間、及び、前記少なくとも１つの排水設備の外周部と、前記複数の通水管の各々の前記一端との間の空間を含むように設けることを特徴とする請求項７記載の防水床での集水方法。
【請求項９】
前記積層構造が、前記防水材と前記緩衝材との間に積層された保護コンクリートを含み、
前記通水空間を設ける際に、前記少なくとも１つの排水設備の外周部と、前記保護コンクリートの、前記少なくとも１つの排水設備周りの縁との間の空間を含むように設け、
前記集水構造の一部として、前記防水材の直上において、前記複数の通水管の各々の他端と近接して、該複数の通水管の周囲を囲うように環状に延在し、前記保護コンクリートを、前記排水設備及び前記複数の通水管が配置される内側と外側とに区切る区切り部材を設置し、
該区切り部材の、少なくとも、前記複数の通水管の各々の前記他端と近接する部位を除去することで、前記複数の通水管の各々の、前記他端の開口部に連通する導入空間を設けることを特徴とする請求項８記載の防水床での集水方法。
【発明の詳細な説明】
【技術分野】
【０００１】
本発明は、防水床の集水システム、この集水システムを備えた防水床、及び、防水床での集水方法に関するものである。
【背景技術】
【０００２】
水を多用するような主に食品系の生産施設等では、排水桝等の排水設備（例えば特許文献１参照）を備えた防水床が利用されるが、近年、このような施設が多層化してきており、２階以上では１階と構造が異なる防水床が必要となる。例えば図６には、施設の２階以上で利用される、排水設備として排水桝７０Ａが設置された従来の防水床１００が示されている。この防水床１００は、床スラブ４０の上に、防水材４４、保護コンクリート４６、緩衝材４８及び押えコンクリート５４が積層された積層構造を有している。そして、床スラブ４０に設けられた開口部４０ａに、排水桝７０Ａの本体部７２が埋設され、更に、防水材４４から押えコンクリート５４までの各層を貫通して、排水桝７０Ａの嵩上げ部７４が設置されている。
【０００３】
本体部７２と嵩上げ部７４とは溶接等で連結されており、押えコンクリート５４上を流れる水が、嵩上げ部７４の上蓋７６に設けられたスリットから嵩上げ部７４内に取り込まれ、更に異物を受けるためのバスケット７８等を介して、本体部７２内に導かれて排水される。又、嵩上げ部７４の外周部には、複数の水抜き穴８０が設けられており、防水床１００の積層構造に浸透した水が、水抜き穴８０を介して嵩上げ部７４の内部に取り込まれるようになっている。このような浸透水は、排水桝７０Ａと積層構造との間の継ぎ目や、経年劣化により発生する押えコンクリート５４のひび割れ等から浸透するものである。
【０００４】
一方、図７には、従来の防水床１００の、排水設備として設置された点検蓋８８付の排水ドレン７０Ｂの周辺を示しており、この排水ドレン７０Ｂは、ドレン本体８４と筒状体８６とを備えている。ドレン本体８４は、床スラブ４０に埋設され、その上面に複数のスリットが設けられている。ドレン本体８４の上には、防水材４４から押えコンクリート５４までを貫通する筒状体８６が設置されており、筒状体８６の上端に点検蓋８８が取り付けられている。そして、筒状体８６の外周部や、筒状体８６の下端とドレン本体８４の上面との間に、水抜き穴８０が設けられており、防水床１００の積層構造に浸透した水が、水抜き穴８０及びドレン本体８４上面のスリットを通して、ドレン本体８４から排水されるようになっている。
【先行技術文献】
【特許文献】
【０００５】
【特許文献１】特開２００７−１４６３７６号公報
【発明の概要】
【発明が解決しようとする課題】
【０００６】
ここで、従来の防水床１００では、特に水抜き穴８０の近傍を拡大図示した図６（ｂ）で確認できるように、防水材４４の排水桝７０Ａ周りの縁と、排水桝７０Ａの外周部との間に、水抜き穴８０に連通する環状の空間１０２が確保されている。しかしながら、この環状の空間１０２の大きさが十分でなく、又、押えコンクリート５４、緩衝材４８及び保護コンクリート４６に浸透した水が、環状の空間１０２に導かれるような構成を有していないため、浸透した水が上手く排水されずに溜まっていた。この点は、図７に示した排水ドレン７０Ｂの周囲についても同様である。このような浸透水は、下の階に漏れる等の様々な問題を引き起こしてしまう。
【０００７】
本発明は上記課題に鑑みてなされたものであり、その目的とするところは、防水床の内部に浸透した水を効率よく排水することにある。
【課題を解決するための手段】
【０００８】
（発明の態様）
以下の発明の態様は、本発明の構成を例示するものであり、本発明の多様な構成の理解を容易にするために、項別けして説明するものである。各項は、本発明の技術的範囲を限定するものではなく、発明を実施するための最良の形態を参酌しつつ、各項の構成要素の一部を置換し、削除し、又は、更に他の構成要素を付加したものについても、本願発明の技術的範囲に含まれ得るものである。
【０００９】
（１）下層側から少なくとも防水材、緩衝材及び押えコンクリートが積層された積層構造を備え、該積層構造の上を流れる水、及び／又は、前記積層構造の内部に浸透した水を排水するための概略筒状の排水設備が、前記積層構造を貫通して少なくとも１つ設置された防水床の集水システムであって、前記少なくとも１つの排水設備毎に設けられ、前記防水材よりも上層の前記積層構造内に浸透した水を、前記少なくとも１つの排水設備の外周部に設けられた水抜き穴へと誘導するための、集水構造を含む防水床の集水システム（請求項１）。
【００１０】
本項に記載の防水床の集水システムは、主に２階以上で用いられる防水床を対象としたものであり、このような防水床は、床スラブ等の上に、下層側から少なくとも防水材、緩衝材及び押えコンクリートが積層された積層構造を備えている。更に、防水床には、積層構造の上を流れる水、及び／又は、積層構造の内部に浸透した水を排水するための、概略筒状の排水設備が、積層構造を貫通して少なくとも１つ設置されている。この少なくとも１つの排水設備には、その外周部に、外側から水を取り込むための水抜き穴が設けられている。
【００１１】
そして、上記のような防水床を対象とした防水床の集水システムは、少なくとも１つの排水設備毎に設けられた集水構造を含んでいる。この集水構造は、防水床の積層構造内の、防水材よりも上層に浸透した水を、排水設備の外周部に設けられた水抜き穴へと誘導するためのものである。これにより、防水床の積層構造内に浸透した水が、集水構造を介して、排水設備の水抜き穴へと誘導されることになるため、水抜き穴を通して排水設備から排水されるものである。しかも、集水構造は排水設備毎に設けられるため、複数の排水設備が設置された防水床では、複数の排水設備のうち、近くにある排水設備や流れて行き易い位置にある排水設備から、浸透水が排水されることとなる。このようにして、防水床の内部に浸透した水が、効率よく排水されるものである。
【００１２】
（２）上記（１）項において、前記集水構造は、前記防水材の直上に配置された複数の通水管と、前記少なくとも１つの排水設備の外周部に沿って、前記水抜き穴と連通するように設けられた通水空間と、を含み、前記複数の通水管は、平面視で、各々の一端を前記少なくとも１つの排水設備へ向ける態様で、該排水設備の周囲に互いに間隔を空けて放射状に配置され、前記通水空間は、少なくとも、前記少なくとも１つの排水設備の外周部と、前記防水材の、前記少なくとも１つの排水設備周りの縁との間の空間、及び、前記少なくとも１つの排水設備の外周部と、前記複数の通水管の各々の前記一端との間の空間を含むように設けられている防水床の集水システム（請求項２）。
【００１３】
本項に記載の防水床の集水システムは、集水構造が、複数の通水管と通水空間とを含むものであり、複数の通水管は、防水床の積層構造のうちの、防水材の直上に配置される。更に、複数の通水管は、平面視で、各々の一端を排水設備へ向ける態様で、排水設備の周囲に互いに間隔を空けて放射状に配置される。ここで、防水床の積層構造のうち、防水材の上に積層される層は、通水管が配置された位置では通水管の上から積層され、通水管が配置されていない位置では防水材の上に直接積層されることになる。これにより、防水床の積層構造内で防水材の上まで浸透した水に対して、通水管による流路が与えられることになる。
【００１４】
一方、通水空間は、排水設備の外周部に沿って、排水設備の水抜き穴と連通するように設けられる。より詳しくは、通水空間は、少なくとも、排水設備の外周部と、防水材の排水設備周りの縁との間の空間、及び、排水設備の外周部と、複数の通水管の各々の、排水設備へ向けられた一端との間の空間を含むように設けられる。これにより、防水材によって排水設備の水抜き穴が塞がれることなく、複数の通水管の各々の一端と排水設備の水抜き穴とが、通水空間を介して連通するようになる。このため、通水管を通過した浸透水が、更に通水空間及び水抜き穴を通って、排水設備から排水される。従って、通水管の他端から一端へと流れる流路が形成され、防水床に浸透した水の流れが促されることで、浸透水が効率よく排水されることとなる。
【００１５】
（３）上記（２）項において、前記積層構造が、前記防水材と前記緩衝材との間に積層された保護コンクリートを含み、前記通水空間は、前記少なくとも１つの排水設備の外周部と、前記保護コンクリートの、前記少なくとも１つの排水設備周りの縁との間に設けられた空間を含み、前記集水構造は、前記防水材の直上において、前記複数の通水管の各々の他端と近接して、該複数の通水管の周囲を囲うように環状に延在し、前記保護コンクリートを、前記排水設備及び前記複数の通水管が配置される内側と外側とに区切る区切り部材を含み、該区切り部材の、少なくとも、前記複数の通水管の各々の前記他端と近接する部位が除去されていることで、前記複数の通水管の各々の、前記他端の開口部に連通する導入空間が設けられている防水床の集水システム（請求項３）。
【００１６】
本項に記載の防水床の集水システムは、防水材と緩衝材との間に保護コンクリートが積層された積層構造を有する防水床を対象としており、従って、複数の通水管及び防水材の上には、保護コンクリートが積層されることになる。又、集水構造の通水空間は、上記（２）項に記載した空間に加えて、排水設備の外周部と、保護コンクリートの排水設備周りの縁との間に設けられた空間を含んでいる。これにより、通水空間は、排水設備の外周部に沿って上方向へと広がり、緩衝材と保護コンクリートとの間や保護コンクリート内に浸透した水が、保護コンクリートの排水設備周りの縁から、又、緩衝材内に浸透した水が、通水空間の上方に位置する緩衝材の下面から、通水空間へと流れ易くなる。
【００１７】
又、集水構造は、複数の通水管及び集水空間に加えて区切り部材を含み、この区切り部材は、防水材の直上において、複数の通水管の各々の他端と近接して、これら複数の通水管の周囲を囲うように環状に延在している。そして、区切り部材が保護コンクリートの厚みと同等の高さを有していることで、保護コンクリートが区切り部材によって、排水設備及び複数の通水管が配置される内側と外側とに区切られる。このような区切り部材が配置されることによって、積層構造内を防水材の上まで浸透した水が、区切り部材に沿って流れ易くなる。
【００１８】
更に、区切り部材は、少なくとも、複数の通水管の各々の他端と近接する部位が除去されている。これにより、除去前の区切り部材があった箇所に、複数の通水管の各々の、他端の開口部に連通する導入空間が形成される。このため、区切り部材の内側及び外側において、防水材上を区切り部材に沿って流れる浸透水や、導入空間の上に位置する緩衝材まで浸透した浸透水が、導入空間を通って、他端の開口部から通水管へと導かれることになる。従って、通水管から通水空間を通って排水設備へと至る流れが一層促され、浸透水がより効率よく排水されるものである。
【００１９】
（４）上記（３）項において、前記積層構造は、前記緩衝材として、下層側から断熱材と嵩上げ材とを含み、前記通水空間は、前記少なくとも１つの排水設備の外周部と、前記断熱材の、前記少なくとも１つの排水設備周りの縁との間に設けられた空間を含む防水床の集水システム（請求項４）。
本項に記載の防水床の集水システムは、下層側から防水材、保護コンクリート、断熱材、嵩上げ材、及び、押えコンクリートが積層された積層構造を有する防水床を対象としたものである。そして、通水空間が、更に、排水設備の外周部と、断熱材の排水設備周りの縁との間に設けられた空間を含むものである。これにより、通水空間は、排水設備の外周部に沿って更に上方向へと広がり、嵩上げ材と断熱材との間や断熱材内に浸透した水が、断熱材の排水設備周りの縁から、又、嵩上げ材内に浸透した水が、通水空間の上方に位置する嵩上げ材の下面から、通水空間へと流れ易くなる。従って、浸透水の排水が更に促されることになる。
【００２０】
（５）上記（１）から（４）項のいずれか１項記載の防水床の集水システムと、前記積層構造と、前記少なくとも１つの排水設備とを含み、該少なくとも１つの排水設備として、主に前記積層構造の上を流れる水を排水するために設置された、少なくとも１つの排水桝を含む防水床（請求項５）。
本項に記載の防水床は、上記（１）から（４）項のいずれか１項記載の防水床の集水システムと、積層構造と、少なくとも１つの排水設備とを含み、この少なくとも１つの排水設備として、少なくとも１つの排水桝を含むものである。排水桝は、主に積層構造の上を流れる水を排水するために設置されるものであり、そのような水が、積層構造の上面と略同じ高さに設置された上蓋のスリットや穴から、排水桝の内部へ取り込まれて排水される。更に、排水桝の外周部には複数の水抜き穴が設けられており、積層構造に浸透した水が、それらの水抜き穴から排水桝の内部へ取り込まれて排水される。これにより、積層構造の上を流れる水だけでなく、積層構造の内部に浸透した水までもが、排水桝を介して効率的に排水されるものである。
【００２１】
（６）上記（５）項において、前記少なくとも１つの排水設備として、更に、主に前記積層構造の内部に浸透した水を排水するために設置された、少なくとも１つの排水ドレンを含む防水床（請求項６）。
本項に記載の防水床は、排水設備として、少なくとも１つの排水桝に加え、少なくとも１つの排水ドレンを含むものである。排水ドレンは、主に積層構造の内部に浸透した水を排水するために設置され、排水桝と比較して排水量が小さく、排水桝による排水をメインとすると補助的な排水を行うものである。排水ドレンの外周部には複数の水抜き穴が設けられており、積層構造に浸透した水が、それらの水抜き穴から排水ドレンの内部へ取り込まれて排水される。このような排水ドレンと排水桝との双方が、各々の目的に見合った防水床の位置に設置されていることで、積層構造の上を流れる水及び積層構造の内部に浸透した水が、より効率的に排水されるものである。
【００２２】
（７）下層側から少なくとも防水材、緩衝材及び押えコンクリートが積層された積層構造を備え、該積層構造の上を流れる水、及び／又は、前記積層構造の内部に浸透した水を排水するための概略筒状の排水設備が、前記積層構造を貫通して少なくとも１つ設置された防水床での集水方法であって、前記少なくとも１つの排水設備毎に、前記防水材よりも上層の前記積層構造内に浸透した水を、前記少なくとも１つの排水設備の外周部に設けられた水抜き穴へと誘導するための、集水構造を設ける防水床での集水方法（請求項７）。
（８）前記集水構造の一部として、前記防水材の直上に複数の通水管を配置すると共に、前記少なくとも１つの排水設備の外周部に沿って、前記水抜き穴と連通するように通水空間を設け、前記複数の通水管を配置する際に、平面視で、前記複数の通水管の各々の一端を前記少なくとも１つの排水設備へ向ける態様で、該排水設備の周囲に互いに間隔を空けて放射状に配置し、前記通水空間を設ける際に、少なくとも、前記少なくとも１つの排水設備の外周部と、前記防水材の、前記少なくとも１つの排水設備周りの縁との間の空間、及び、前記少なくとも１つの排水設備の外周部と、前記複数の通水管の各々の前記一端との間の空間を含むように設ける防水床での集水方法（請求項８）。
【００２３】
（９）前記積層構造が、前記防水材と前記緩衝材との間に積層された保護コンクリートを含み、前記通水空間を設ける際に、前記少なくとも１つの排水設備の外周部と、前記保護コンクリートの、前記少なくとも１つの排水設備周りの縁との間の空間を含むように設け、前記集水構造の一部として、前記防水材の直上において、前記複数の通水管の各々の他端と近接して、該複数の通水管の周囲を囲うように環状に延在し、前記保護コンクリートを、前記排水設備及び前記複数の通水管が配置される内側と外側とに区切る区切り部材を設置し、該区切り部材の、少なくとも、前記複数の通水管の各々の前記他端と近接する部位を除去することで、前記複数の通水管の各々の、前記他端の開口部に連通する導入空間を設ける防水床での集水方法（請求項９）。
そして、（７）から（９）項の防水床での集水方法は、上記（１）から（３）項の防水床の集水システムを利用して実行されることで、上記（１）から（３）項の防水床の集水システムと同等の作用を奏するものである。
【発明の効果】
【００２４】
本発明は上記のような構成であるため、防水床の内部に浸透した水を効率よく排水することが可能となる。
【図面の簡単な説明】
【００２５】
【図１】本発明の実施の形態に係る防水床の集水システムの、排水桝への適用例を示す平面図及び断面図である。
【図２】図１に示した防水床の集水システムの施工手順の一例を示す断面図である。
【図３】図２に引き続き、図１に示した防水床の集水システムの施工手順の一例を示す断面図である。
【図４】本発明の実施の形態に係る防水床の集水システムの、排水ドレンへの適用例を示す平面図及び断面図である。
【図５】本発明の実施の形態に係る防水床の設置レイアウトの一例を示す平面図である。
【図６】従来の防水床の排水桝周辺を示す断面図である。
【図７】従来の防水床の排水ドレン周辺を示す断面図である。
【発明を実施するための形態】
【００２６】
以下、本発明を実施するための形態を、添付図面に基づき説明する。ここで、従来技術と同一部分、若しくは相当する部分については、詳しい説明を省略することとし、又、図面の全体にわたって、同一部分若しくは対応する部分は、同一の符号で示している。
図１は、排水設備７０として防水床３０に設置された排水桝７０Ａに対する、本発明の実施の形態に係る防水床の集水システム１０の適用例を示している。なお、図１（ａ）は平面図、図１（ｂ）は断面図であるが、図１（ａ）には、後述する積層構造４２の保護コンクリート４６よりも上の層が積層される前の状態が図示されていると共に、排水桝７０Ａの図中上半分には図１（ｂ）に対応する状態が示され、排水桝７０Ａの図中下半分には本体部７２の内部を透視した状態が示されている。
【００２７】
まず、図１（ｂ）を参照して、本発明の実施の形態に係る防水床の集水システム１０が適用された防水床３０は、食品等の生産施設の主に２階以上に利用されるものであり、コンクリート製の床スラブ４０の上に積層構造４２を備えている。本実施形態において積層構造４２は、下層側から防水材４４、保護コンクリート４６、緩衝材４８及び押えコンクリート５４が積層されたものであり、更に緩衝材４８として、断熱材５０及び嵩上げ材５２が積層されている。例えば、防水材４４にはアスファルト防水、断熱材５０には各種の断熱材、嵩上げ材５２にはスタイロフォームが利用される。又、保護コンクリート４６と断熱材５０との間、及び、断熱材５０と嵩上げ材５２との間には、ＲＡシート６６が敷設されている。
【００２８】
図１（ａ）及び（ｂ）を参照して、排水桝７０Ａは、主に積層構造４２の上を流れる水を排水するために設置され、平面視で略矩形をなすと共に、全体が概略筒状をなしており、上述したような防水床３０を貫通して設置されている。排水桝７０Ａは、これに限定されるものではないが、その全体がステンレスによって形成されており、本体部７２と嵩上げ部７４とを含んでいる。本体部７２は、床スラブ４０に形成された開口部４０ａに埋設されており、本体部７２の鍔部７２ａが開口部４０ａの上端縁に形成された座繰り部に配置され、ネジ止め等によって固定されている。本体部７２の上端には、異物をキャッチするためのバスケット７８が取り付けられている。
【００２９】
一方、嵩上げ部７４は、嵩上げ部７４の上端に取り付けられた上蓋７６の上面が、押えコンクリート５４の上面と略同じ高さに位置するように、積層構造４２を貫通して設置されている。上蓋７６には、押えコンクリート５４上を流れる水が流れ込むように、複数の穴やスリットが設けられている。又、排水桝７０Ａの外周部７０ａには、本実施形態では嵩上げ部７４の下端近傍の外周部分に、嵩上げ部７４の壁部を貫通する態様で、複数の水抜き穴８０が設けられている（図３（ｄ）も参照）。嵩上げ部７４の下端と本体部７２の上端とは、その周方向にわたって断続溶接等により接続されている。
【００３０】
そして、上記のような防水床３０に適用された、本発明の実施の形態に係る防水床の集水システム１０は、排水設備７０毎に設置される集水構造１２を備えており、この集水構造１２は、複数の通水管１４と通水空間１６と区切り部材２０とを含んでいる。複数の通水管１４は、防水材４４の直上、すなわち本実施形態では防水材４４と保護コンクリート４６との間に設置されている。又、図１（ａ）で確認できるように、複数の通水管１４は、各々の一端１４ａを排水桝７０Ａに向ける態様で、排水桝７０Ａの周囲に互いに間隔を空けて放射状に設置されている。本実施形態では、８本の通水管１４が、排水桝７０Ａの平面視矩形の各辺へ向けて、２本ずつ配置されている。複数の通水管１４の各々は、その一端１４ａ及び他端１４ｂが開口した管体であり、例えば塩ビ管が利用されるが、金属等の他の材料で形成されていてもよい。
【００３１】
図１（ｂ）及び図３（ｄ）を参照して、通水空間１６は、排水設備７０（排水桝７０Ａの嵩上げ部７４）の外周部７０ａに沿って、複数の水抜き穴８０と連通するように設けられている。本実施形態において、通水空間１６は、排水桝７０Ａの外周部７０ａと、防水材４４の排水設備７０周りの縁４４ａ、複数の通水管１４の各々の一端１４ａ、保護コンクリート４６の排水設備７０周りの縁４６ａ、及び、断熱材５０の排水設備７０周りの縁５０ａとの、夫々の間の空間を含んでいる。しかしながら、通水空間１６は、複数の通水管１４の各々の一端１４ａと、複数の水抜き穴８０とを連通するように設けられていればよく、図示の例に限定されるものではない。
【００３２】
区切り部材２０は、防水材４４の直上において、図１（ａ）で確認できるように、複数の通水管１４の周囲を囲うように環状に延在しており、本実施形態では、排水桝７０Ａの平面視形状や複数の通水管１４の配置形態に合わせて、矩形環状をなしている。又、区切り部材２０は、複数の通水管１４の各々の他端１４ｂと近接するように設置されており、この通水管１４の他端１４ｂと近接する部位２０ａ（ハッチングで示す）が除去されている。これにより、図１（ｂ）に示されているように、区切り部材２０の除去部位２０ａが存在していた位置に、通水管１４の他端１４ｂの開口部に連通する導入空間２４が形成されている。又、区切り部材２０は、保護コンクリート４６の層厚と略同じ高さを有しており、この区切り部材２０によって保護コンクリート４６が、排水設備７０及び複数の通水管１４が配置された内側４６ｂと外側４６ｃとに区切られている。このような区切り部材２０は、例えばスタイロフォームにより形成されるが、除去部位２０ａが除去可能なものであれば他の材料で形成されていてもよい。又、区切り部材２０は、排水桝７０Ａの大きさや通水管１４の長さ等に合わせて、例えば２ｍ四方程度の大きさで設置される。
【００３３】
次に、図２及び図３には、図１に示した排水桝７０Ａの一側方を破断図示して、本発明の実施の形態に係る防水床の集水システム１０の施工手順の一例を示している。しかしながら、施工手順は図２及び図３の例に限定されず、他の手順で防水床の集水システム１０を施工してもよい。
まず、図２（ａ）に示すように、排水桝７０Ａの本体部７２を、床スラブ４０に設けられた開口部４０ａに埋設した状態から、図２（ｂ）に示すように、本体部７２の鍔部７２ａ上に、防水止め６０及びバックアップ材６２を、鍔部７２ａの形状に合わせて平面視環状に設置する。防水止め６０は、図中上下方向の高さが、後に敷設される防水材４４の厚みよりも大きくなっており、例えばステンレス製の板材で形成され、鍔部７２ａに断続溶接等で固定する。バックアップ材６２は、防水止め６０と略同じ高さを有する断面矩形の棒材で形成され、後程撤去するために、固定せずに防水止め６０に密着して設置する。
【００３４】
続けて、図２（ｃ）に示すように、バックアップ材６２に接触する位置まで防水材４４を敷設する。すなわち、防水材４４は、防水止め６０及びバックアップ材６２より内側（図中右側）が切欠かれた状態で、本体部７２を囲うように敷設される。なお、本実施形態では防水材４４としてアスファルト防水を使用しており、防水材４４の敷設位置に予めアスファルトプライマーを塗布している。
更に、図２（ｄ）に示すように、鍔部７２ａ上からバックアップ材６２を撤去し、撤去後に形成される、防水止め６０と防水材４４の端縁との間の環状の溝に、図２（ｅ）に示すように、防水材４４と同材料のアスファルト溶材４４Ａを流し込む。これにより、防水止め６０に密着する位置まで、防水材４４が延長形成される。
【００３５】
次に、図２（ｆ）に示すように、防水止め６０に沿って防水材４４の上に、木材等で形成される断面矩形の止め枠６４を環状に設置した後、各々の一端１４ａを止め枠６４に接触させるようにして、複数の通水管１４を平面視で放射状（図１（ａ）参照）に設置する。ここで、止め枠６４の図中上下方向の高さは、後工程で打設される保護コンクリート４６の上面と略同じ高さであることが好ましい。更に、図２（ｆ）には図示していないが、図１（ａ）に示したように、複数の通水管１４の他端１４ｂに密着させて、複数の通水管１４を囲うように区切り部材２０を設置する。
【００３６】
続いて、図３（ａ）に示すように、止め枠６４の外側（図中左側）に、止め枠６４の設置高さまで保護コンクリート４６を打設する。このとき、複数の通水管１４の設置箇所では通水管１４の上から保護コンクリート４６を打設し、それ以外の箇所では防水材４４の上に保護コンクリート４６を打設する。更に、保護コンクリート４６を区切り部材２０の内側と外側とに打設して、保護コンクリート４６が区切り部材２０により、内側４６ｂと外側４６ｃとに区切られるようにする（図１（ｂ）参照）。
そして、保護コンクリート４６を養生した後、図３（ｂ）に示すように、止め枠６４を撤去し、更に、図１（ａ）に示したように、区切り部材２０から除去部位２０ａを除去する。これにより、各通水管１４の一端１４ａ及び他端１４ｂの開口部が塞がれずに、各々の開口部に連通する空間が確保される。
【００３７】
続けて、図３（ｃ）に示すように、排水桝７０Ａの本体部７２の上に嵩上げ部７４を設置して接続する。このとき、嵩上げ部７４の外周部７０ａに設けられている水抜き穴８０は、防水止め６０の側方に位置し、更に、外周部７０ａと防水止め６０（防水材４４の排水設備７０周りの縁４４ａ）との間には、隙間が確保されている。又、保護コンクリート４６の上にＲＡシート６６を敷設し、ＲＡシート６６の端部を、保護コンクリート４６の排水設備７０（嵩上げ部７４）周りの縁４６ａに沿って垂下させる。
【００３８】
更に、図３（ｄ）に示すように、保護コンクリート４６上のＲＡシート６６の上から断熱材５０を敷設し、このとき、断熱材５０の排水設備７０（嵩上げ部７４）周りの縁５０ａの、図中左右方向の位置が、保護コンクリート４６の排水設備７０周りの縁４６ａの、図中左右方向の位置と略一致するように敷設する。これにより、排水設備７０の外周部７０ａに沿って通水空間１６が形成される。そして、断熱材５０の上にＲＡシート６６を敷設し、ＲＡシート６６の端部を、断熱材５０の排水設備７０周りの縁５０ａに沿って垂下させ、ＲＡシート６６が重複して垂下する部分を形成する。又、断熱材５０上のＲＡシート６６の上から嵩上げ材５２を敷設し、このとき、嵩上げ材５２の排水設備７０（嵩上げ部７４）周りの縁５２ａを、外周部７０ａに密着させる。
最後に、図１（ｂ）に示したように、嵩上げ材５２の上に、排水桝７０Ａの上端と略同じ高さまで、押えコンクリート５４を打設して養生する。
【００３９】
さて、図４は、排水設備７０として防水床３０に設置された、点検蓋８８付の排水ドレン７０Ｂに対する、本発明の実施の形態に係る防水床の集水システム１０の適用例を示している。図４（ａ）は平面図、図４（ｂ）は断面図であるが、図４（ａ）には、積層構造４２の保護コンクリート４６よりも上の層が積層される前の状態が図示されている。
図４の防水床３０は、図１に示した防水床３０と同じ積層構造４２を備えている。点検蓋８８付の排水ドレン７０Ｂは、主に積層構造４２の内部に浸透した水を排水するために設置され、ドレン本体８４と筒状体８６とを含んでいる。ドレン本体８４は、床スラブ４０に埋設されており、その上面に複数のスリットや穴が設けられている。ドレン本体８４の上には、積層構造４２を貫通して筒状体８６が設置されており、筒状体８６の上端に取付けられた点検蓋８８が、押えコンクリート５４の上面と略同じ高さに位置している。点検蓋８８付の排水ドレン７０Ｂは全体が概略筒状をなし、その外周部７０ａ、本実施形態では筒状体８６の下端近傍の外周部分、或いは、筒状体８６の下端とドレン本体８４の上端との間に、複数の水抜き穴８０が設けられている。
【００４０】
そして、集水構造１２を構成する複数の通水管１４は、本実施形態では４本設置されており、各々の一端１４ａが排水ドレン７０Ｂに向けられ、排水ドレン７０Ｂの周囲に互いに間隔を空けて放射状に設置されている。又、通水空間１６は、点検蓋８８付の排水ドレン７０Ｂの外周部７０ａに沿って、複数の水抜き穴８０と連通するように設けられている。更に、区切り部材２０は、防水材４４の直上において、複数の通水管１４の各々の他端１４ｂと近接する態様で、複数の通水管１４の周囲を囲うように環状に延在しており、本実施形態では、４本の通水管１４の配置形態に合わせて、矩形環状をなしている。又、区切り部材２０は、通水管１４の他端１４ｂと近接する４箇所の部位２０ａが除去されており、これにより、通水管１４の他端１４ｂの開口部に連通する導入空間２４が形成されている。
【００４１】
図４に示した構成の集水構造１２を有する防水床の集水システム１０は、防水材４４の排水ドレン７０Ｂ周りの縁の処理を除き、図２及び図３に示した施工手順と略同じ手順によって施工される。防水材４４の排水ドレン７０Ｂ周りの縁は、防水止め６０によって塞き止められるのではなく、使用されている排水ドレン７０Ｂの構成に合わせて処理される。例えば、防水材４４の排水ドレン７０Ｂ周りの縁は、ドレン本体８４の上端の周縁に設けられた押え構造に挟まれることで、シーリング処理される。
【００４２】
次に、図５には、２階以上に設けられる食品等の生産施設の平面図であって、本発明の実施の形態に係る防水床３０の設置レイアウトの一例を示している。図示のように、この施設には、複数の排水設備７０として、必要に応じた位置に、複数（図示の範囲では１９個）の排水桝７０Ａと、複数（図示の範囲では６個）の排水ドレン７０Ｂが設置されている。そして、これら全ての排水桝７０Ａ及び排水ドレン７０Ｂの各々に、上述したような防水床の集水システム１０の集水構造１２が適用されるものである。なお、このような施設では、機材の設置レイアウトや排水発生量等に合わせて、排水設備７０の設置数や設置位置が設定される。
【００４３】
ここで、本発明の実施の形態に係る防水床の集水システム１０は、図１〜図４に示した構成に限定されるものではなく、別の構成であってもよい。例えば、防水床３０の積層構造４２は、保護コンクリート４６を含んでいなくてもよく、緩衝材４８が一層で構成されていてもよく、図示以外の他の層を含んでいてもよい。又、複数の通水管１４は、各々の一端１４ａを排水設備７０へ向ける態様で、排水設備７０の周囲に互いに間隔を空けて放射状に配置されていれば、その数量や配置形態は任意である。更に、区切り部材２０の除去部位２０ａは、通水管１４の他端１４ｂと近接する位置だけでなく、別の位置にあってもよい。又、本発明の実施の形態に係る防水床の集水システム１０は、積層構造４２内に浸透した水を、排水設備７０の水抜き穴８０へと誘導するものであれば、極端には、複数の通水管１４や通水空間１６以外の、別の要素で構成されていてもよい。
【００４４】
さて、上記構成をなす本発明の実施の形態によれば、次のような作用効果を得ることが可能である。すなわち、本発明の実施の形態に係る防水床の集水システム１０は、図１及び図４に示すように、主に２階以上で用いられる防水床３０を対象としたものであり、この防水床３０は、床スラブ４０の上に、下層側から少なくとも防水材４４、緩衝材４８及び押えコンクリート５４が積層された積層構造４２を備えている。更に、防水床３０には、積層構造４２の上を流れる水、及び／又は、積層構造４２の内部に浸透した水を排水するための、概略筒状の排水設備７０が、積層構造４２を貫通して少なくとも１つ設置されている。この少なくとも１つの排水設備７０には、その外周部７０ａに、外側から水を取り込むための水抜き穴８０が設けられている。
【００４５】
そして、上記のような防水床３０を対象とした防水床の集水システム１０は、少なくとも１つの排水設備７０毎に設けられた集水構造１２を含んでいる。この集水構造１２は、防水床３０の積層構造４２内の、防水材４４よりも上層に浸透した水を、排水設備７０の外周部７０ａに設けられた水抜き穴８０へと誘導するためのものである。これにより、防水床３０の積層構造４２内に浸透した水を、集水構造１２を介して、排水設備７０の水抜き穴８０へと誘導することができるため、水抜き穴８０を通して排水設備７０から排水することができる。しかも、集水構造１２は排水設備７０毎に設けられるため、複数の排水設備７０が設置された防水床３０では、複数の排水設備７０のうち、近くにある排水設備７０や流れて行き易い位置にある排水設備７０から、浸透水を排水することができる。このようにして、防水床３０の内部に浸透した水を、効率よく排水することが可能となる。
【００４６】
又、本発明の実施の形態に係る防水床の集水システム１０は、集水構造１２が、複数の通水管１４と通水空間１６とを含むものであり、複数の通水管１４は、防水床３０の積層構造４２のうちの、防水材４４の直上に配置される。更に、複数の通水管１４は、図１（ａ）及び図４（ａ）で確認できるように、平面視で、各々の一端１４ａを排水設備７０へ向ける態様で、排水設備７０の周囲に互いに間隔を空けて放射状に配置される。ここで、防水床３０の積層構造４２のうち、防水材４４の上に積層される層（図示の実施形態では保護コンクリート４６）は、通水管１４が配置された位置では通水管１４の上から積層され、通水管１４が配置されていない位置では防水材４４の上に直接積層されることになる。これにより、防水床３０の積層構造４２内で防水材４４の上まで浸透した水に対して、通水管１４による流路を与えることができる。
【００４７】
一方、通水空間１６は、排水設備７０の外周部７０ａに沿って、排水設備７０の水抜き穴８０と連通するように設けられる。より詳しくは、通水空間１６は、図３（ｄ）に示すように、少なくとも、排水設備７０の外周部７０ａと、防水材４４の排水設備７０周りの縁４４ａとの間の空間、及び、排水設備７０の外周部７０ａと、複数の通水管１４の各々の、排水設備７０へ向けられた一端１４ａとの間の空間を含むように設けられる。これにより、防水材４４によって排水設備７０の水抜き穴８０を塞ぐことなく、複数の通水管１４の各々の一端１４ａと排水設備７０の水抜き穴８０とを、通水空間１６を介して連通させることができる。このため、通水管１４を通過した浸透水が、更に通水空間１６及び水抜き穴８０を通って、排水設備７０から排水される。従って、通水管１４の他端１４ｂから一端１４ａへと流れる流路が形成され、防水床３０に浸透した水の流れが促されることで、浸透水を効率よく排水することができる。
【００４８】
更に、本発明の実施の形態に係る防水床の集水システム１０は、図１（ｂ）及び図４（ｂ）に示すように、防水材４４と緩衝材４８との間に保護コンクリート４６が積層された積層構造４２を有する防水床３０を対象としており、従って、複数の通水管１４及び防水材４４の上には、保護コンクリート４６が積層されることになる。又、集水構造１２の通水空間１６は、図３（ｄ）に示すように、上述した空間に加えて、排水設備７０の外周部７０ａと、保護コンクリート４６の排水設備７０周りの縁４６ａとの間に設けられた空間を含んでいる。これにより、通水空間１６は、排水設備７０の外周部７０ａに沿って上方向へと広がるため、緩衝材４８（断熱材５０）と保護コンクリート４６との間や保護コンクリート４６内に浸透した水を、保護コンクリート４６の排水設備７０周りの縁４６ａから、又、緩衝材４８内に浸透した水を、通水空間１６の上方に位置する緩衝材４８（嵩上げ材５２）の下面から、通水空間１６へと流れ易くすることができる。しかも、緩衝材４８（断熱材５０）と保護コンクリート４６との間にＲＡシート６６が敷設され、ＲＡシート６６の端部が、保護コンクリート４６の排水設備７０周りの縁４６ａに沿って垂下していることで、緩衝材４８内に浸透した水を、通水空間１６へとより一層流れ易くすることができる。
【００４９】
又、図１及び図４に示すように、集水構造１２は、複数の通水管１４及び集水空間１６に加えて区切り部材２０を含み、この区切り部材２０は、防水材４４の直上において、複数の通水管１４の各々の他端１４ｂと近接して、これら複数の通水管１４の周囲を囲うように環状に延在している。そして、区切り部材２０が保護コンクリート４６の厚みと同等の高さを有していることで、保護コンクリート４６が区切り部材２０によって、排水設備７０及び複数の通水管１４が配置される内側４６ｂと外側４６ｃとに区切られる。このような区切り部材２０が配置されることによって、積層構造４２内を防水材４４の上まで浸透した水を、区切り部材２０に沿って流れ易くすることができる。
【００５０】
更に、区切り部材２０は、少なくとも、複数の通水管１４の各々の他端１４ｂと近接する部位２０ａが除去されている。これにより、除去前の区切り部材２０ａがあった箇所に、複数の通水管１４の各々の、他端１４ｂの開口部に連通する導入空間２４が形成される。このため、区切り部材２０の内側及び外側において、防水材４４上を区切り部材２０に沿って流れる浸透水や、導入空間２４の上に位置する緩衝材４８まで浸透した浸透水を、導入空間２４を通して、他端１４ｂの開口部から通水管１４へと導くことができる。従って、通水管１４から通水空間１６を通って排水設備７０へと至る流れを一層促すことができ、浸透水をより効率よく排水することが可能となる。
【００５１】
又、本発明の実施の形態に係る防水床の集水システム１０は、下層側から防水材４４、保護コンクリート４６、断熱材５０、嵩上げ材５２、及び、押えコンクリート５４が積層された積層構造４２を有する防水床３０を対象としたものである。そして、図３（ｄ）に示すように、通水空間１６が、更に、排水設備７０の外周部７０ａと、断熱材５０の排水設備７０周りの縁５０ａとの間に設けられた空間を含むものである。これにより、通水空間１６は、排水設備７０の外周部７０ａに沿って更に上方向へと広がるため、嵩上げ材５２と断熱材５０との間や断熱材５０内に浸透した水を、断熱材５０の排水設備７０周りの縁５０ａから、又、嵩上げ材５２内に浸透した水を、通水空間１６の上方に位置する嵩上げ材５２の下面から、通水空間１６へと流れ易くすることができる。しかも、嵩上げ材５２と断熱材５０との間にＲＡシート６６が敷設され、ＲＡシート６６の端部が、断熱材５０の排水設備７０周りの縁５０ａに沿って垂下していることで、嵩上げ材５２内に浸透した水を、通水空間１６へとより一層流れ易くすることができる。従って、浸透水の排水を更に促すことが可能となる。
【００５２】
一方、本発明の実施の形態に係る防水床３０は、上述したような防水床の集水システム１０と、積層構造４２と、少なくとも１つの排水設備７０とを含み、この少なくとも１つの排水設備７０として、図１に示すような少なくとも１つの排水桝７０Ａを含むものである。排水桝７０Ａは、主に積層構造４２の上を流れる水を排水するために設置されるものであり、そのような水が、積層構造４２の上面と略同じ高さに設置された上蓋７６のスリットや穴から、排水桝７０Ａの内部へ取り込まれて排水される。更に、排水桝７０Ａの外周部７０ａには複数の水抜き穴８０が設けられており、積層構造４２に浸透した水が、それらの水抜き穴８０から排水桝７０Ａの内部へ取り込まれて排水される。これにより、積層構造４２の上を流れる水だけでなく、積層構造４２の内部に浸透した水までも、排水桝４０Ａを介して効率的に排水することができる。
【００５３】
更に、本発明の実施の形態に係る防水床３０は、排水設備７０として、少なくとも１つの排水桝７０Ａに加え、図４に示すような少なくとも１つの排水ドレン７０Ｂを含むものである。排水ドレン７０Ｂは、主に積層構造４２の内部に浸透した水を排水するために設置され、排水桝７０Ａと比較して排水量が小さく、排水桝７０Ａによる排水をメインとすると補助的な排水を行うものである。排水ドレン７０Ｂの外周部７０ａには複数の水抜き穴８０が設けられており、積層構造４２に浸透した水が、それらの水抜き穴８０から排水ドレン７０Ｂの内部へ取り込まれて排水される。このような排水ドレン７０Ｂと排水桝７０Ａとの双方が、例えば図５に示すように、各々の目的に見合った防水床３０の位置に設置されていることで、積層構造４２の上を流れる水及び積層構造４２の内部に浸透した水を、より効率的に排水することが可能となる。
他方、本発明の実施の形態に係る防水床での集水方法は、上述したような防水床の集水システム１０を利用して実行されることで、防水床の集水システム１０と同等の作用効果を奏することができる。
【符号の説明】
【００５４】
１０：防水床の集水システム、１２：集水構造、１４：通水管、１４ａ：一端、１４ｂ：他端、１６：通水空間、２０：区切り部材、２０ａ：除去部位、２４：導入空間、３０：防水床、４２：積層構造、４４：防水材、４４ａ：排水設備周りの縁、４６：保護コンクリート、４６ａ：排水設備周りの縁、４６ｂ：内側、４６ｃ：外側、４８：緩衝材、５０：断熱材、５０ａ：排水設備周りの縁、５２：嵩上げ材、５４：押えコンクリート、７０：排水設備、７０ａ：外周部、７０Ａ：排水桝、７０Ｂ：排水ドレン、８０：水抜き穴
【図１】
2020070626.tif 000003
【図２】
2020070626.tif 000004
【図３】
2020070626.tif 000005
【図４】
2020070626.tif 000006
【図５】
2020070626.tif 000007
【図６】
2020070626.tif 000008
【図７】
2020070626.tif 000009
【手続補正書】
【提出日】令和1年12月16日(2019.12.16)
【手続補正１】
【補正対象書類名】特許請求の範囲
【補正対象項目名】全文
【補正方法】変更
【補正の内容】
【特許請求の範囲】
【請求項１】
下層側から少なくとも防水材、緩衝材及び押えコンクリートが積層された積層構造を備え、該積層構造の上を流れる水、及び／又は、前記積層構造の内部に浸透した水を排水するための概略筒状の排水設備が、前記積層構造を貫通して少なくとも１つ設置された防水床の集水システムであって、
前記少なくとも１つの排水設備毎に設けられ、前記防水材よりも上層の前記積層構造内に浸透した水を、前記少なくとも１つの排水設備の外周部に設けられた水抜き穴へと誘導するための、集水構造を含み、
該集水構造は、前記防水材の直上に配置された複数の通水管と、前記少なくとも１つの排水設備の外周部に沿って、前記水抜き穴と連通するように設けられた通水空間と、を含み、
前記複数の通水管は、平面視で、各々の一端を前記少なくとも１つの排水設備へ向ける態様で、該排水設備の周囲に互いに間隔を空けて放射状に配置され、
前記通水空間は、少なくとも、前記少なくとも１つの排水設備の外周部と、前記防水材の、前記少なくとも１つの排水設備周りの縁との間の空間、及び、前記少なくとも１つの排水設備の外周部と、前記複数の通水管の各々の前記一端との間の空間を含むように設けられていることを特徴とする防水床の集水システム。
【請求項２】
前記積層構造が、前記防水材と前記緩衝材との間に積層された保護コンクリートを含み、
前記通水空間は、前記少なくとも１つの排水設備の外周部と、前記保護コンクリートの、前記少なくとも１つの排水設備周りの縁との間に設けられた空間を含み、
前記集水構造は、前記防水材の直上において、前記複数の通水管の各々の他端と近接して、該複数の通水管の周囲を囲うように環状に延在し、前記保護コンクリートを、前記排水設備及び前記複数の通水管が配置される内側と外側とに区切る区切り部材を含み、
該区切り部材の、少なくとも、前記複数の通水管の各々の前記他端と近接する部位が除去されていることで、前記複数の通水管の各々の、前記他端の開口部に連通する導入空間が設けられていることを特徴とする請求項１記載の防水床の集水システム。
【請求項３】
前記積層構造は、前記緩衝材として、下層側から断熱材と嵩上げ材とを含み、
前記通水空間は、前記少なくとも１つの排水設備の外周部と、前記断熱材の、前記少なくとも１つの排水設備周りの縁との間に設けられた空間を含むことを特徴とする請求項２記載の防水床の集水システム。
【請求項４】
請求項１から３のいずれか１項記載の防水床の集水システムと、前記積層構造と、前記少なくとも１つの排水設備とを含み、
該少なくとも１つの排水設備として、主に前記積層構造の上を流れる水を排水するために設置された、少なくとも１つの排水桝を含むことを特徴とする防水床。
【請求項５】
前記少なくとも１つの排水設備として、更に、主に前記積層構造の内部に浸透した水を排水するために設置された、少なくとも１つの排水ドレンを含むことを特徴とする請求項４記載の防水床。
【請求項６】
下層側から少なくとも防水材、緩衝材及び押えコンクリートが積層された積層構造を備え、該積層構造の上を流れる水、及び／又は、前記積層構造の内部に浸透した水を排水するための概略筒状の排水設備が、前記積層構造を貫通して少なくとも１つ設置された防水床での集水方法であって、
前記少なくとも１つの排水設備毎に、前記防水材よりも上層の前記積層構造内に浸透した水を、前記少なくとも１つの排水設備の外周部に設けられた水抜き穴へと誘導するための、集水構造を設け、
該集水構造の一部として、前記防水材の直上に複数の通水管を配置すると共に、前記少なくとも１つの排水設備の外周部に沿って、前記水抜き穴と連通するように通水空間を設け、
前記複数の通水管を配置する際に、平面視で、前記複数の通水管の各々の一端を前記少なくとも１つの排水設備へ向ける態様で、該排水設備の周囲に互いに間隔を空けて放射状に配置し、
前記通水空間を設ける際に、少なくとも、前記少なくとも１つの排水設備の外周部と、前記防水材の、前記少なくとも１つの排水設備周りの縁との間の空間、及び、前記少なくとも１つの排水設備の外周部と、前記複数の通水管の各々の前記一端との間の空間を含むように設けることを特徴とする防水床での集水方法。
【請求項７】
前記積層構造が、前記防水材と前記緩衝材との間に積層された保護コンクリートを含み、
前記通水空間を設ける際に、前記少なくとも１つの排水設備の外周部と、前記保護コンクリートの、前記少なくとも１つの排水設備周りの縁との間の空間を含むように設け、
前記集水構造の一部として、前記防水材の直上において、前記複数の通水管の各々の他端と近接して、該複数の通水管の周囲を囲うように環状に延在し、前記保護コンクリートを、前記排水設備及び前記複数の通水管が配置される内側と外側とに区切る区切り部材を設置し、
該区切り部材の、少なくとも、前記複数の通水管の各々の前記他端と近接する部位を除去することで、前記複数の通水管の各々の、前記他端の開口部に連通する導入空間を設けることを特徴とする請求項６記載の防水床での集水方法。
【手続補正２】
【補正対象書類名】明細書
【補正対象項目名】０００９
【補正方法】変更
【補正の内容】
【０００９】
（１）下層側から少なくとも防水材、緩衝材及び押えコンクリートが積層された積層構造を備え、該積層構造の上を流れる水、及び／又は、前記積層構造の内部に浸透した水を排水するための概略筒状の排水設備が、前記積層構造を貫通して少なくとも１つ設置された防水床の集水システムであって、前記少なくとも１つの排水設備毎に設けられ、前記防水材よりも上層の前記積層構造内に浸透した水を、前記少なくとも１つの排水設備の外周部に設けられた水抜き穴へと誘導するための、集水構造を含む防水床の集水システム。
【手続補正３】
【補正対象書類名】明細書
【補正対象項目名】００１２
【補正方法】変更
【補正の内容】
【００１２】
（２）上記（１）項において、前記集水構造は、前記防水材の直上に配置された複数の通水管と、前記少なくとも１つの排水設備の外周部に沿って、前記水抜き穴と連通するように設けられた通水空間と、を含み、前記複数の通水管は、平面視で、各々の一端を前記少なくとも１つの排水設備へ向ける態様で、該排水設備の周囲に互いに間隔を空けて放射状に配置され、前記通水空間は、少なくとも、前記少なくとも１つの排水設備の外周部と、前記防水材の、前記少なくとも１つの排水設備周りの縁との間の空間、及び、前記少なくとも１つの排水設備の外周部と、前記複数の通水管の各々の前記一端との間の空間を含むように設けられている防水床の集水システム（請求項１）。
【手続補正４】
【補正対象書類名】明細書
【補正対象項目名】００１５
【補正方法】変更
【補正の内容】
【００１５】
（３）上記（２）項において、前記積層構造が、前記防水材と前記緩衝材との間に積層された保護コンクリートを含み、前記通水空間は、前記少なくとも１つの排水設備の外周部と、前記保護コンクリートの、前記少なくとも１つの排水設備周りの縁との間に設けられた空間を含み、前記集水構造は、前記防水材の直上において、前記複数の通水管の各々の他端と近接して、該複数の通水管の周囲を囲うように環状に延在し、前記保護コンクリートを、前記排水設備及び前記複数の通水管が配置される内側と外側とに区切る区切り部材を含み、該区切り部材の、少なくとも、前記複数の通水管の各々の前記他端と近接する部位が除去されていることで、前記複数の通水管の各々の、前記他端の開口部に連通する導入空間が設けられている防水床の集水システム（請求項２）。
【手続補正５】
【補正対象書類名】明細書
【補正対象項目名】００１９
【補正方法】変更
【補正の内容】
【００１９】
（４）上記（３）項において、前記積層構造は、前記緩衝材として、下層側から断熱材と嵩上げ材とを含み、前記通水空間は、前記少なくとも１つの排水設備の外周部と、前記断熱材の、前記少なくとも１つの排水設備周りの縁との間に設けられた空間を含む防水床の集水システム（請求項３）。
本項に記載の防水床の集水システムは、下層側から防水材、保護コンクリート、断熱材、嵩上げ材、及び、押えコンクリートが積層された積層構造を有する防水床を対象としたものである。そして、通水空間が、更に、排水設備の外周部と、断熱材の排水設備周りの縁との間に設けられた空間を含むものである。これにより、通水空間は、排水設備の外周部に沿って更に上方向へと広がり、嵩上げ材と断熱材との間や断熱材内に浸透した水が、断熱材の排水設備周りの縁から、又、嵩上げ材内に浸透した水が、通水空間の上方に位置する嵩上げ材の下面から、通水空間へと流れ易くなる。従って、浸透水の排水が更に促されることになる。
【手続補正６】
【補正対象書類名】明細書
【補正対象項目名】００２０
【補正方法】変更
【補正の内容】
【００２０】
（５）上記（２）から（４）項のいずれか１項記載の防水床の集水システムと、前記積層構造と、前記少なくとも１つの排水設備とを含み、該少なくとも１つの排水設備として、主に前記積層構造の上を流れる水を排水するために設置された、少なくとも１つの排水桝を含む防水床（請求項４）。
本項に記載の防水床は、上記（２）から（４）項のいずれか１項記載の防水床の集水システムと、積層構造と、少なくとも１つの排水設備とを含み、この少なくとも１つの排水設備として、少なくとも１つの排水桝を含むものである。排水桝は、主に積層構造の上を流れる水を排水するために設置されるものであり、そのような水が、積層構造の上面と略同じ高さに設置された上蓋のスリットや穴から、排水桝の内部へ取り込まれて排水される。更に、排水桝の外周部には複数の水抜き穴が設けられており、積層構造に浸透した水が、それらの水抜き穴から排水桝の内部へ取り込まれて排水される。これにより、積層構造の上を流れる水だけでなく、積層構造の内部に浸透した水までもが、排水桝を介して効率的に排水されるものである。
【手続補正７】
【補正対象書類名】明細書
【補正対象項目名】００２１
【補正方法】変更
【補正の内容】
【００２１】
（６）上記（５）項において、前記少なくとも１つの排水設備として、更に、主に前記積層構造の内部に浸透した水を排水するために設置された、少なくとも１つの排水ドレンを含む防水床（請求項５）。
本項に記載の防水床は、排水設備として、少なくとも１つの排水桝に加え、少なくとも１つの排水ドレンを含むものである。排水ドレンは、主に積層構造の内部に浸透した水を排水するために設置され、排水桝と比較して排水量が小さく、排水桝による排水をメインとすると補助的な排水を行うものである。排水ドレンの外周部には複数の水抜き穴が設けられており、積層構造に浸透した水が、それらの水抜き穴から排水ドレンの内部へ取り込まれて排水される。このような排水ドレンと排水桝との双方が、各々の目的に見合った防水床の位置に設置されていることで、積層構造の上を流れる水及び積層構造の内部に浸透した水が、より効率的に排水されるものである。
【手続補正８】
【補正対象書類名】明細書
【補正対象項目名】００２２
【補正方法】変更
【補正の内容】
【００２２】
（７）下層側から少なくとも防水材、緩衝材及び押えコンクリートが積層された積層構造を備え、該積層構造の上を流れる水、及び／又は、前記積層構造の内部に浸透した水を排水するための概略筒状の排水設備が、前記積層構造を貫通して少なくとも１つ設置された防水床での集水方法であって、前記少なくとも１つの排水設備毎に、前記防水材よりも上層の前記積層構造内に浸透した水を、前記少なくとも１つの排水設備の外周部に設けられた水抜き穴へと誘導するための、集水構造を設ける防水床での集水方法。
（８）上記（７）項において、前記集水構造の一部として、前記防水材の直上に複数の通水管を配置すると共に、前記少なくとも１つの排水設備の外周部に沿って、前記水抜き穴と連通するように通水空間を設け、前記複数の通水管を配置する際に、平面視で、前記複数の通水管の各々の一端を前記少なくとも１つの排水設備へ向ける態様で、該排水設備の周囲に互いに間隔を空けて放射状に配置し、前記通水空間を設ける際に、少なくとも、前記少なくとも１つの排水設備の外周部と、前記防水材の、前記少なくとも１つの排水設備周りの縁との間の空間、及び、前記少なくとも１つの排水設備の外周部と、前記複数の通水管の各々の前記一端との間の空間を含むように設ける防水床での集水方法（請求項６）。
【手続補正９】
【補正対象書類名】明細書
【補正対象項目名】００２３
【補正方法】変更
【補正の内容】
【００２３】
（９）上記（８）項において、前記積層構造が、前記防水材と前記緩衝材との間に積層された保護コンクリートを含み、前記通水空間を設ける際に、前記少なくとも１つの排水設備の外周部と、前記保護コンクリートの、前記少なくとも１つの排水設備周りの縁との間の空間を含むように設け、前記集水構造の一部として、前記防水材の直上において、前記複数の通水管の各々の他端と近接して、該複数の通水管の周囲を囲うように環状に延在し、前記保護コンクリートを、前記排水設備及び前記複数の通水管が配置される内側と外側とに区切る区切り部材を設置し、該区切り部材の、少なくとも、前記複数の通水管の各々の前記他端と近接する部位を除去することで、前記複数の通水管の各々の、前記他端の開口部に連通する導入空間を設ける防水床での集水方法（請求項７）。
そして、（７）から（９）項の防水床での集水方法は、上記（１）から（３）項の防水床の集水システムを利用して実行されることで、上記（１）から（３）項の防水床の集水システムと同等の作用を奏するものである。